(57)【要約】  映像処理装置とその周辺機器との間のユーザによるケーブルを用いた一連の接続作業を容易化する。映像処理装置であって、周辺機器の接続に関する情報である機器データを格納する機器データ蓄積部と、ケーブルに関する情報であるケーブルデータを格納するケーブルデータ蓄積部と、選択された周辺機器の機器データを前記機器データ蓄積部から、選択されたケーブルのケーブルデータを前記ケーブルデータ蓄積部から読み出すデータ制御部と、前記機器データ蓄積部から読み出された機器データ及び前記ケーブルデータ蓄積部から読み出されたケーブルデータに従って、前記映像処理装置と前記選択された周辺機器との間の接続に用いられるケーブルを決定する接続解析部と、前記接続解析部で決定されたケーブルの画像を前記選択された周辺機器の画像とともに表示する表示部とを有する。
2010016251.tif 000002
【特許請求の範囲】
【請求項１】
周辺機器の接続に関する情報である機器データを格納する機器データ蓄積部と、
ケーブルに関する情報であるケーブルデータを格納するケーブルデータ蓄積部と、
選択された周辺機器の機器データを前記機器データ蓄積部から、選択されたケーブルのケーブルデータを前記ケーブルデータ蓄積部から読み出すデータ制御部と、
前記機器データ蓄積部から読み出された機器データ及び前記ケーブルデータ蓄積部から読み出されたケーブルデータに従って、前記映像処理装置と前記選択された周辺機器との間の接続に用いられるケーブルを決定する接続解析部と、
前記接続解析部で決定されたケーブルの画像を前記選択された周辺機器の画像とともに表示する表示部とを備える
映像処理装置。
【請求項２】
請求項１に記載の映像処理装置において、
前記データ制御部は、前記映像処理装置に接続可能なケーブルの画像を前記表示部に表示させ、
前記選択されたケーブルは、前記表示部に表示され、選択されたケーブルである
映像処理装置。
【請求項３】
請求項１に記載の映像処理装置において、
前記接続解析部は、前記接続に用いられるケーブルの決定を、画質を優先させて、前記読み出されたケーブルデータに従って行う
映像処理装置。
【請求項４】
請求項１に記載の映像処理装置において、
ケーブルが不足していることを示すための表示データを格納するメニューデータ蓄積部を更に備え、
前記接続解析部は、前記接続に用いられるケーブルを決定する際に、ケーブルが不足している場合には、ケーブルが不足していることを前記データ制御部に通知し、
前記データ制御部は、ケーブルが不足していることを通知されると、前記表示データを前記メニューデータ蓄積部から読み出して前記表示部に表示させる
映像処理装置。
【請求項５】
請求項１に記載の映像処理装置において、
ケーブルが接続されるべき端子を示すための表示データを格納するメニューデータ蓄積部を更に備え、
前記データ制御部は、前記表示データを前記メニューデータ蓄積部から読み出し、前記映像処理装置又は前記選択された周辺機器の画像上に、前記選択されたケーブルが接続されるべき端子を示す表示を重ねて、前記表示部に表示させる
映像処理装置。
【請求項６】
請求項１に記載の映像処理装置において、
前記データ制御部は、前記選択されたケーブルについての注意事項を前記表示部に表示させる
映像処理装置。
【請求項７】
請求項１に記載の映像処理装置において、
入力信号に含まれる同期信号を検出する同期信号検出部を更に備え、
前記データ制御部は、前記同期信号検出部が同期信号を検出すると、正常に接続されたことを示す表示を前記表示部に表示させる
映像処理装置。
【請求項８】
請求項１に記載の映像処理装置において、
前記選択された周辺機器及び前記選択されたケーブルを記憶する記憶部を更に備え、
前記データ制御部は、前記記憶部に記憶されたデータを用いて、前記選択された周辺機器及び前記選択されたケーブルを決定する
映像処理装置。
【発明の詳細な説明】
【技術分野】
【０００１】
本発明は、映像処理装置に関し、特に、映像処理装置とその周辺機器との間の接続の容易化に関する。
【背景技術】
【０００２】
今日のＡＶ（audiovisual）機器システムにおいては、複数の種類のケーブルを用いて複数の周辺機器を接続する必要がある。はじめに機器のぶ厚いマニュアルを参照しなければならないことが多く、一般のユーザにとってＡＶ機器の接続は困難な作業である。【０００３】
このような接続作業を容易にするための技術の例が、下記特許文献１に記載されている。すなわち、接続したい２つの機器の名称をネットワークのクライアント側から入力すると、サーバの電子マニュアルデータベースからこれらの機器の端子属性が取り出される。接続テーブルが参照されて、２つの機器の間で接続され得る２つの端子の端子属性の組合せの有無が判定される。これらの接続され得る端子の画像情報が受信され、表示される。
【先行技術文献】
【特許文献】
【０００４】
【特許文献１】特開２００５−３１７３８号公報
【発明の概要】
【発明が解決しようとする課題】
【０００５】
特許文献１の方法によると、接続される２つの端子の画像を画面上で見ながら機器間の接続を行うことを繰り返す必要があるが、接続可能であることが示されるのみであるので、実際にどの種類のケーブルをどこに用いるのかをユーザが決めなければならない。【０００６】
本発明は、ユーザを視覚的に誘導する表示を画面上に行うことにより、映像処理装置とその周辺機器との間のユーザによるケーブルを用いた一連の接続作業を容易化することを目的とする。
【課題を解決するための手段】
【０００７】
本発明の実施形態による映像処理装置は、周辺機器の接続に関する情報である機器データを格納する機器データ蓄積部と、ケーブルに関する情報であるケーブルデータを格納するケーブルデータ蓄積部と、選択された周辺機器の機器データを前記機器データ蓄積部から、選択されたケーブルのケーブルデータを前記ケーブルデータ蓄積部から読み出すデータ制御部と、前記機器データ蓄積部から読み出された機器データ及び前記ケーブルデータ蓄積部から読み出されたケーブルデータに従って、前記映像処理装置と前記選択された周辺機器との間の接続に用いられるケーブルを決定する接続解析部と、前記接続解析部で決定されたケーブルの画像を前記選択された周辺機器の画像とともに表示する表示部とを有する。【０００８】
これによると、用いるべき種類のケーブルが表示されるので、映像処理装置とその周辺機器との間の接続が容易になる。
【発明の効果】
【０００９】
本発明の実施形態によれば、どの種類のケーブルを用いるべきかが示されるので、映像処理装置とその周辺機器との間のユーザによる接続作業が容易になる。また、ケーブル等の画像が表示されるので、誤りなく適切な接続を行うことが可能になる。
【図面の簡単な説明】
【００１０】
【図１】図１は、本発明の実施形態に係る映像処理装置の構成を示すブロック図である。
【図２】図２は、図１の接続解析部の構成例を示すブロック図である。
【図３】図３は、機器接続案内の開始画面の例を示す説明図である。
【図４】図４は、図１の映像処理装置に接続可能な周辺機器の一覧を表示する画面の例を示す説明図である。
【図５】図５は、図４の画面上でいくつかの周辺機器が選択された状態を示す説明図である。
【図６】図６は、映像処理装置と周辺機器との間、及び周辺機器間の接続を表示する画面の例を示す説明図である。
【図７】図７は、ケーブルの一覧を表示する画面の例を示す説明図である。
【図８】図８は、図７の画面上でいくつかのケーブルが選択された状態を示す説明図である。
【図９】図９は、映像処理装置、周辺機器、及び接続に用いるケーブルを表示する画面の例を示す説明図である。
【図１０】図１０は、アンテナとＤＶＤレコーダとの間の接続のための案内画面を示す説明図である。
【図１１】図１１は、ＤＶＤレコーダと映像処理装置との間の接続のための案内画面を示す説明図である。
【図１２】図１２は、アンテナ、ＤＶＤレコーダ、及び映像処理装置の間の接続が正常に行われた場合に表示される画面を示す説明図である。
【図１３】図１３は、ゲーム機と映像処理装置との間の接続のための案内画面を示す説明図である。
【図１４】図１４は、ゲーム機と映像処理装置との間の接続が正常に行われた場合に表示される画面を示す説明図である。
【発明を実施するための形態】
【００１１】
以下、本発明の実施形態を、図面を参照しながら説明する。
【００１２】
本明細書における各機能ブロックは、典型的にはハードウェアで実現され得る。例えば各機能ブロックは、ＩＣ（集積回路）の一部として半導体基板上に形成され得る。ここでＩＣは、ＬＳＩ（Large-Scale Integrated circuit）、ＡＳＩＣ（Application-Specific Integrated Circuit）、ゲートアレイ、ＦＰＧＡ（Field Programmable Gate Array）などを含む。代替としては各機能ブロックの一部又は全ては、ソフトウェアで実現され得る。例えばそのような機能ブロックは、プロセッサ上で実行されるプログラムによって実現され得る。換言すれば、本明細書で説明される各機能ブロックは、ハードウェアで実現されてもよいし、ソフトウェアで実現されてもよいし、ハードウェアとソフトウェアとの任意の組合せで実現され得る。
【００１３】
図１は、本発明の実施形態に係る映像処理装置の構成を示すブロック図である。図１の映像処理装置は、ユーザ入力部１２と、データ制御部１４と、表示部１６と、記憶部１８と、メニューデータ蓄積部２２と、接続解析部２４と、信号入力部２６と、同期信号検出部２８と、機器データ蓄積部３２と、ケーブルデータ蓄積部３４と、バス３６と、ＬＡＮ（local area network）インタフェース４２と、メモリカードリーダ４４と、ハードディスクドライブ（ＨＤＤ）４６とを有している。
【００１４】
図１の映像処理装置は、例えばテレビジョン受像機（以下ではＴＶと表記する）であって、チューナ（図示せず）を有している。チューナは、アンテナで受信された信号から、映像信号を生成して表示部１６に表示させる。また、信号入力部２６に入力された信号が表示部１６に表示されるように構成されている。
【００１５】
ユーザ入力部１２は、例えばリモコンとその受信部や、図１の映像処理装置の表面に配置された入力ボタンであって、表示部１６の表示に従ってユーザが入力操作を行う。ＬＡＮインタフェース４２は、外部のネットワーク（例えばインターネット）に接続されており、メモリカードリーダ４４には、メモリカード４８が着脱可能に接続されている。ＬＡＮインタフェース４２、メモリカードリーダ４４、及びＨＤＤ４６は、バス３６を経由して、機器データ蓄積部３２及びケーブルデータ蓄積部３４との間でデータを入出力する。メモリカード４８及びＨＤＤ４６は、あらかじめ機器データ及びケーブルデータを格納している。
【００１６】
機器データ蓄積部３２及びケーブルデータ蓄積部３４は、必要なデータが格納されていない場合には、ＬＡＮインタフェース４２を経由して、インターネット上の所定のサイトから必要なデータをダウンロードする。また、機器データ蓄積部３２及びケーブルデータ蓄積部３４は、メモリカードリーダ４４を用いてメモリカード４８から必要なデータを読み出してもよいし、ＨＤＤ４６から必要なデータを読み出してもよい。
【００１７】
機器データ蓄積部３２は、ＬＡＮインタフェース４２、メモリカードリーダ４４、及びＨＤＤ４６から転送された機器データを蓄積する。機器データは、周辺機器の接続に関する情報であって、周辺機器の端子の種類を示す端子情報や、端子の画像を含む画像データ、周辺機器の外観を示す画像データ等を含んでいる。
【００１８】
ケーブルデータ蓄積部３４は、ＬＡＮインタフェース４２、メモリカードリーダ４４、及びＨＤＤ４６から転送されたケーブルデータを蓄積する。ケーブルデータは、ケーブルに関する情報であって、ケーブルの端子の種類を示す端子情報、端子の画像を含む画像データ、ケーブルの外観を示す画像データ、ケーブルについての注意事項等を含んでいる。ケーブルについての注意事項とは、例えば、ＨＤＭＩ（high-definition multimedia interface）ケーブルについては、出力解像度を設定する必要があるということや、ＩＥＥＥ１３９４ケーブルについては、アナログ接続ケーブルを併用すべきであるということである。
【００１９】
メニューデータ蓄積部２２は、表示部１６に表示される表示データ（メニュー画面等）を格納する。データ制御部１４は、ユーザによってユーザ入力部１２に入力された情報に従って、機器データ蓄積部３２、ケーブルデータ蓄積部３４、メニューデータ蓄積部２２から該当するデータを読み出す。
【００２０】
図２は、図１の接続解析部２４の構成例を示すブロック図である。図２のように、接続解析部２４は、機器接続判定部５２と、ケーブル選択部５４とを有している。機器接続判定部５２は、データ制御部１４が読み出した機器データ及びユーザ入力部１２に入力された情報に従って、図１の映像処理装置とその周辺機器との間の接続について解析を行い、その結果をケーブル選択部５４及びデータ制御部１４に出力する。
【００２１】
ケーブル選択部５４は、機器接続判定部５２の解析結果、データ制御部１４が読み出したケーブルデータ及びユーザ入力部１２に入力された情報に従って、映像処理装置とその周辺機器との間、及び周辺機器間の接続に用いるケーブルを決定し、その結果をデータ制御部１４に出力する。表示部１６は、接続解析部２４における解析の結果に従って、映像処理装置とその周辺機器との間、及び周辺機器間の接続に用いるケーブルの画像等を表示する。
【００２２】
接続作業時の処理を、表示部１６に表示される画面を参照しながら説明する。図３は、機器接続案内の開始画面の例を示す説明図である。ユーザがユーザ入力部１２に所定の操作をした場合、又は、映像処理装置に最初に電源が入れられた時に、データ制御部１４がメニューデータ蓄積部２２からデータを読み出して、表示部１６に図３の表示を行わせる。
【００２３】
図４は、図１の映像処理装置に接続可能な周辺機器の一覧を表示する画面の例を示す説明図である。図３の画面が表示された後、データ制御部１４は、図４のような画面を表示部１６に表示させる。図４の画面では、映像処理装置（ＴＶ）の画像が画面の中心に表示され、また、その周囲に周辺機器、例えば、アンテナ、ＤＶＤ（digital versatile disc）レコーダ、ホームシアター、デジタルビデオカメラ、カラオケマイク、ノートパソコン、ゲーム機、及びデジタルカメラの画像が表示されている。ユーザは、ユーザ入力部１２を操作して、映像処理装置に接続したい周辺機器を図４の画面上で選択する。
【００２４】
図５は、図４の画面上でいくつかの周辺機器が選択された状態を示す説明図である。ここでは例として、ユーザが、アンテナ、ＤＶＤレコーダ、及びゲーム機を選択したとする。データ制御部１４は、ユーザによって選択された周辺機器を記憶部１８に記憶させる。
【００２５】
次に、データ制御部１４は、選択された周辺機器の機器データを、ユーザ入力部１２に入力された情報に従って機器データ蓄積部３２から読み出し、接続解析部２４の機器接続判定部５２に出力する。機器接続判定部５２は、映像処理装置及び選択された周辺機器の間のどこを接続すべきであるかを、受け取った機器データを用いて決定する。この際、機器接続判定部５２は、機器データに含まれる端子情報を用いて、接続可能であるか、どの機器や装置の間を接続すると画質が高くなるか、又は接続に必要なケーブル数等を考慮する。機器接続判定部５２は、決定の結果をデータ制御部１４及びケーブル選択部５４に出力する。
【００２６】
図６は、映像処理装置と周辺機器との間、及び周辺機器間の接続を表示する画面の例を示す説明図である。図５の画面が表示された後、データ制御部１４は、決定された接続を図６のような画面で表示部１６に表示させる。図６の画面では、信号の流れに沿って、「１）アンテナ→ＤＶＤレコーダ→ＴＶ」が接続され、「２）ゲーム機→ＴＶ」が接続されることが、各機器の画像を用いて示されている。
【００２７】
次に、ケーブルの選択が行われる。図７は、ケーブルの一覧を表示する画面の例を示す説明図である。図６の画面が表示された後、データ制御部１４は、図１の映像処理装置に接続可能なケーブルの画像を、例えば図７のような画面として表示部１６に表示させる。データ制御部１４は、図７の画面のように、例えば６種類のケーブルの画像をケーブルの名称とともに表示させる。図７の画面では、例えば、ＨＤＭＩケーブル、Ｄ端子−Ｄ端子ケーブル、Ｄ端子−コンポーネントケーブル、コンポジットケーブル、ビデオ＋音声ケーブル、及びアンテナケーブルが表示されている。ケーブルの画像には、端子の種類が識別できるような端子の画像を含むようにしておく。
【００２８】
ユーザは、ユーザ入力部１２を操作して、使用可能なケーブルを図７の画面上で選択する。同じ種類のケーブルを２本以上使用可能である場合には、ユーザはその本数を入力する。また、ユーザが、ユーザ入力部１２を操作して画面上の「次へ」を選択すると、データ制御部１４は、他の種類のケーブルの画像をケーブルの名称とともに表示する。
【００２９】
図８は、図７の画面上でいくつかのケーブルが選択された状態を示す説明図である。ここでは例として、ユーザが、ＨＤＭＩケーブル、コンポジットケーブル、ビデオ＋音声ケーブル、及びアンテナケーブルを選択し、選択されたケーブルの本数がいずれも１であるとする。データ制御部１４は、ユーザによって選択されたケーブル及びその本数を記憶部１８に記憶させる。
【００３０】
次に、データ制御部１４は、選択されたケーブルのケーブルデータを、ユーザ入力部１２に入力された情報に従ってケーブルデータ蓄積部３４から読み出し、接続解析部２４のケーブル選択部５４に出力する。ケーブル選択部５４は、接続すべきであると決定された、映像処理装置と周辺機器との間及び周辺機器間を、それぞれどの選択されたケーブルで接続すべきであるかを、受け取った機器データ及びケーブルデータに従って決定する。この際、ケーブル選択部５４は、機器データ及びケーブルデータに含まれる端子情報を用いて、どのケーブルが使用可能であるか、及びどのケーブルを使用すると画質が高くなるか等を考慮して、最も高い画質が得られるように（すなわち、画質を優先させて）決定する。
【００３１】
図９は、映像処理装置、周辺機器、及び接続に用いるケーブルを表示する画面の例を示す説明図である。図８の画面が表示された後、データ制御部１４は、用いられることがケーブル選択部５４によって決定されたケーブルの画像を、映像処理装置（ＴＶ）、及びユーザによって選択された周辺機器の画像とともに図９のような画面で表示部１６に表示させる。
【００３２】
図９では、例として、ＤＶＤレコーダと映像処理装置との間の接続に、ＨＤＭＩケーブルを用いるべきであることを示している。「ＨＤＭＩケーブル」を用いる場合の方が、「コンポジットケーブル」を用いる場合よりも高画質な表示が可能であるので、ケーブル選択部５４は、ここでは画質を優先させてＨＤＭＩケーブルを選択する。また、アンテナとＤＶＤレコーダとの間の接続にはアンテナケーブルを、ゲーム機と映像処理装置との間の接続にはビデオ＋音声ケーブルを用いるべきであることを示している。
【００３３】
メニューデータ蓄積部２２は、ケーブルが不足していることを示すための表示データを格納している。接続に用いられるケーブルを決定する際に、選択されたケーブルだけでは接続ができない場合、すなわち、ケーブルが不足している場合には、ケーブル選択部５４は、不足しているケーブルをデータ制御部１４に通知する。データ制御部１４は、ケーブルが不足していることを通知されると、不足しているケーブルの画像をケーブルデータ蓄積部３４から読み出し、ケーブルが不足していることを示すための表示データをメニューデータ蓄積部２２から読み出して、読み出された画像及び表示データを表示部１６に表示させる。この際、データ制御部１４は、不足しているケーブルの購入を推奨することを示す表示データをメニューデータ蓄積部２２から読み出し、表示部１６に表示させるようにしてもよい。
【００３４】
以下では、ケーブルを用いた接続のための案内画面が表示され、ユーザが案内画面に従って接続作業を行う。まず、アンテナとＤＶＤレコーダとの間の接続を行う。図１０は、アンテナとＤＶＤレコーダとの間の接続のための案内画面を示す説明図である。
【００３５】
データ制御部１４は、アンテナ画像、ＤＶＤレコーダ画像（前面）、及びＤＶＤレコーダ画像（背面）を機器データ蓄積部３２から読み出し、アンテナケーブル画像をケーブルデータ蓄積部３４から読み出し、読み出された画像を図１０のように表示部１６に表示させる。ＤＶＤレコーダ画像（背面）としては、各端子が識別できるような画像が表示される。
【００３６】
また、メニューデータ蓄積部２２は、ケーブルが接続されるべき端子を示すための表示データ（ＯＳＤ（on screen display）データ）を格納している。データ制御部１４は、このようなＯＳＤデータをメニューデータ蓄積部２２から読み出して、ＤＶＤレコーダ画像（背面）上に、選択されたアンテナケーブルが接続されるべき端子を示す表示を重ねて、表示部１６に表示させる。ＯＳＤデータは、赤丸や、端子を囲む図形等を示すデータであって、ケーブルが接続されるべき端子を囲むように表示される。このため、ユーザは、ケーブルをどの端子に差し込めばいいのかを一目で理解することができる。図１０の表示に従って、ユーザは、ＤＶＤレコーダの背面のＯＳＤデータで示された端子にアンテナケーブルを接続する。
【００３７】
次に、ＤＶＤレコーダと映像処理装置との間の接続を行う。図１１は、ＤＶＤレコーダと映像処理装置との間の接続のための案内画面を示す説明図である。
【００３８】
データ制御部１４は、ＤＶＤレコーダ画像（前面）、ＤＶＤレコーダ画像（背面）、ＴＶ画像（前面）、及びＴＶ画像（背面）を機器データ蓄積部３２から読み出し、ＨＤＭＩケーブル画像をケーブルデータ蓄積部３４から読み出し、読み出された画像を図１１のように表示部１６に表示させる。ＤＶＤレコーダ画像（背面）及びＴＶ画像（背面）としては、各端子が識別できるような画像が表示される。
【００３９】
図１１の場合においても、図１０と同様に、データ制御部１４は、ケーブルが接続されるべき端子を示すためのＯＳＤデータをメニューデータ蓄積部２２から読み出して、ＤＶＤレコーダ画像（背面）及びＴＶ画像（背面）の上に、選択されたＨＤＭＩケーブルが接続されるべき端子を示す表示を重ねて、表示部１６に表示させる。図１１の表示に従って、ユーザは、ＤＶＤレコーダの背面のＯＳＤデータで示された端子と、ＴＶの背面のＯＳＤデータで示された端子とにＨＤＭＩケーブルを接続する。
【００４０】
次に、アンテナ、ＤＶＤレコーダ、及び映像処理装置の間の接続が正しく行われていることを確認する。データ制御部１４は、ＤＶＤレコーダの電源を入れるように指示する表示（例えば「ＤＶＤレコーダの電源を入れてください。」という表示）をするためのＯＳＤデータをメニューデータ蓄積部２２から読み出して、表示部１６に表示させる。画面の表示に従って、ユーザは、ＤＶＤレコーダの電源をオンにする。ＤＶＤレコーダから出力された信号は、図１の信号入力部２６を経由して同期信号検出部２８に入力される。同期信号検出部２８は、入力された映像信号に含まれる同期信号を検出し、検出したことをデータ制御部１４に通知する。
【００４１】
図１２は、アンテナ、ＤＶＤレコーダ、及び映像処理装置の間の接続が正常に行われた場合に表示される画面を示す説明図である。同期信号を検出したことが同期信号検出部２８から通知されると、データ制御部１４は、正常に接続されたことを示す表示（例えば「正常に接続されました。」という表示）をするためのＯＳＤデータをメニューデータ蓄積部２２から読み出して、図１２のように表示部１６に表示させる。
【００４２】
なお、ＨＤＭＩケーブルの場合のように、ユーザによって選択されたケーブルについての注意事項がある場合には、データ制御部１４は、この注意事項を表示部１６に表示させるようにしてもよい。
【００４３】
次に、ゲーム機と映像処理装置との間の接続を行う。図１３は、ゲーム機と映像処理装置との間の接続のための案内画面を示す説明図である。
【００４４】
データ制御部１４は、ゲーム機画像（前面）、ゲーム機画像（背面）、ＴＶ画像（前面）、及びＴＶ画像（背面）を機器データ蓄積部３２から読み出し、ビデオ＋音声ケーブル画像をケーブルデータ蓄積部３４から読み出し、読み出された画像を図１３のように表示部１６に表示させる。ゲーム機画像（背面）及びＴＶ画像（背面）としては、各端子が識別できるような画像が表示される。
【００４５】
図１３の場合においても、図１０と同様に、データ制御部１４は、ケーブルが差し込まれるべき端子を示すためのＯＳＤデータをメニューデータ蓄積部２２から読み出して、表示部１６に表示させる。図１３の表示に従って、ユーザは、ゲーム機の背面のＯＳＤデータで示された端子と、ＴＶの背面のＯＳＤデータで示された端子とにビデオ＋音声ケーブルを差し込む。
【００４６】
次に、ゲーム機と映像処理装置との間の接続が正しく行われていることを確認する。データ制御部１４は、ゲーム機の電源を入れるように指示する表示（例えば「ゲーム機の電源を入れてください。」という表示）をするためのＯＳＤデータをメニューデータ蓄積部２２から読み出して、表示部１６に表示させる。画面の表示に従って、ユーザは、ゲーム機の電源をオンにする。ゲーム機から出力された信号は、図１の信号入力部２６を経由して同期信号検出部２８に与えられる。同期信号検出部２８は、映像信号に含まれる同期信号を検出すると、検出したことをデータ制御部１４に通知する。
【００４７】
図１４は、ゲーム機と映像処理装置との間の接続が正常に行われた場合に表示される画面を示す説明図である。同期信号を検出したことが同期信号検出部２８から通知されると、データ制御部１４は、正常に接続されたことを示す表示（例えば「正常に接続されました。」という表示）をするためのＯＳＤデータをメニューデータ蓄積部２２から読み出して、図１４のように表示部１６に表示させる。
【００４８】
以上で接続が完了する。その後、ケーブルが外れてしまった場合には、同様の表示が行われ、表示に従ってユーザが接続作業を行う必要がある。このとき、データ制御部１４は、記憶部１８に記憶された、選択された周辺機器、ケーブル及びその本数のデータを用いて、ユーザによって選択された周辺機器及びユーザによって選択されたケーブルを決定する。これにより、ユーザが周辺機器、ケーブル及びその本数を再び入力する必要なく接続作業をすすめることができる。
【００４９】
図１の映像処理装置がＬＡＮインタフェース４２、メモリカードリーダ４４、及びＨＤＤ４６を有する場合について説明したが、映像処理装置は、ＬＡＮインタフェース４２、メモリカードリーダ４４、及びＨＤＤ４６のうちの少なくとも１つを有していればよい。
【００５０】
本発明の多くの特徴及び優位性は、記載された説明から明らかであり、よって添付の特許請求の範囲によって、本発明のそのような特徴及び優位性の全てをカバーすることが意図される。更に、多くの変更及び改変が当業者には容易に可能であるので、本発明は、図示され記載されたものと全く同じ構成及び動作に限定されるべきではない。したがって、全ての適切な改変物及び等価物は本発明の範囲に入るものとされる。
【産業上の利用可能性】
【００５１】
以上説明したように、本発明の実施形態によると、映像処理装置とその周辺機器との間の接続が容易になるので、本発明は、映像処理装置等について有用である。
【符号の説明】
【００５２】
１４  データ制御部
１６  表示部
１８  記憶部
２２  メニューデータ蓄積部
２４  接続解析部
２８  同期信号検出部
３２  機器データ蓄積部
３４  ケーブルデータ蓄積部
【図１】
2010016251.tif 000003
【図２】
2010016251.tif 000004
【図３】
2010016251.tif 000005
【図４】
2010016251.tif 000006
【図５】
2010016251.tif 000007
【図６】
2010016251.tif 000008
【図７】
2010016251.tif 000009
【図８】
2010016251.tif 000010
【図９】
2010016251.tif 000011
【図１０】
2010016251.tif 000012
【図１１】
2010016251.tif 000013
【図１２】
2010016251.tif 000014
【図１３】
2010016251.tif 000015
【図１４】
2010016251.tif 000016
【手続補正書】
【提出日】平成23年1月12日(2011.1.12)
【手続補正１】
【補正対象書類名】明細書
【補正対象項目名】全文
【補正方法】変更
【補正の内容】
【発明の詳細な説明】
【技術分野】
【０００１】
本発明は、映像処理装置に関し、特に、映像処理装置とその周辺機器との間の接続の容易化に関する。
【背景技術】
【０００２】
今日のＡＶ（audiovisual）機器システムにおいては、複数の種類のケーブルを用いて複数の周辺機器を接続する必要がある。はじめに機器のぶ厚いマニュアルを参照しなければならないことが多く、一般のユーザにとってＡＶ機器の接続は困難な作業である。
【０００３】
このような接続作業を容易にするための技術の例が、下記特許文献１に記載されている。すなわち、接続したい２つの機器の名称をネットワークのクライアント側から入力すると、サーバの電子マニュアルデータベースからこれらの機器の端子属性が取り出される。接続テーブルが参照されて、２つの機器の間で接続され得る２つの端子の端子属性の組合せの有無が判定される。これらの接続され得る端子の画像情報が受信され、表示される。
【先行技術文献】
【特許文献】
【０００４】
【特許文献１】特開２００５−３１７３８号公報
【発明の概要】
【発明が解決しようとする課題】
【０００５】
特許文献１の方法によると、接続される２つの端子の画像を画面上で見ながら機器間の接続を行うことを繰り返す必要があるが、接続可能であることが示されるのみであるので、実際にどの種類のケーブルをどこに用いるのかをユーザが決めなければならない。
【０００６】
本発明は、ユーザを視覚的に誘導する表示を画面上に行うことにより、映像処理装置とその周辺機器との間のユーザによるケーブルを用いた一連の接続作業を容易化することを目的とする。
【課題を解決するための手段】
【０００７】
本発明の実施形態による映像処理装置は、周辺機器の接続に関する情報である機器データを格納する機器データ蓄積部と、ケーブルに関する情報であるケーブルデータを格納するケーブルデータ蓄積部と、選択された周辺機器の機器データを前記機器データ蓄積部から、選択されたケーブルのケーブルデータを前記ケーブルデータ蓄積部から読み出すデータ制御部と、前記機器データ蓄積部から読み出された機器データ及び前記ケーブルデータ蓄積部から読み出されたケーブルデータに従って、前記映像処理装置と前記選択された周辺機器との間の接続に用いられるケーブルを決定する接続解析部と、前記接続解析部で決定されたケーブルの画像を前記選択された周辺機器の画像とともに表示する表示部とを有する。
【０００８】
これによると、用いるべき種類のケーブルが表示されるので、映像処理装置とその周辺機器との間の接続が容易になる。
【発明の効果】
【０００９】
本発明の実施形態によれば、どの種類のケーブルを用いるべきかが示されるので、映像処理装置とその周辺機器との間のユーザによる接続作業が容易になる。また、ケーブル等の画像が表示されるので、誤りなく適切な接続を行うことが可能になる。
【図面の簡単な説明】
【００１０】
【図１】本発明の実施形態に係る映像処理装置の構成を示すブロック図である。
【図２】図１の接続解析部の構成例を示すブロック図である。
【図３】機器接続案内の開始画面の例を示す説明図である。
【図４】図１の映像処理装置に接続可能な周辺機器の一覧を表示する画面の例を示す説明図である。
【図５】図４の画面上でいくつかの周辺機器が選択された状態を示す説明図である。
【図６】映像処理装置と周辺機器との間、及び周辺機器間の接続を表示する画面の例を示す説明図である。
【図７】ケーブルの一覧を表示する画面の例を示す説明図である。
【図８】図７の画面上でいくつかのケーブルが選択された状態を示す説明図である。
【図９】映像処理装置、周辺機器、及び接続に用いるケーブルを表示する画面の例を示す説明図である。
【図１０】アンテナとＤＶＤレコーダとの間の接続のための案内画面を示す説明図である。
【図１１】ＤＶＤレコーダと映像処理装置との間の接続のための案内画面を示す説明図である。
【図１２】アンテナ、ＤＶＤレコーダ、及び映像処理装置の間の接続が正常に行われた場合に表示される画面を示す説明図である。
【図１３】ゲーム機と映像処理装置との間の接続のための案内画面を示す説明図である。
【図１４】ゲーム機と映像処理装置との間の接続が正常に行われた場合に表示される画面を示す説明図である。
【発明を実施するための形態】
【００１１】
以下、本発明の実施形態を、図面を参照しながら説明する。
【００１２】
本明細書における各機能ブロックは、典型的にはハードウェアで実現され得る。例えば各機能ブロックは、ＩＣ（集積回路）の一部として半導体基板上に形成され得る。ここでＩＣは、ＬＳＩ（Large-Scale Integrated circuit）、ＡＳＩＣ（Application-Specific Integrated Circuit）、ゲートアレイ、ＦＰＧＡ（Field Programmable Gate Array）などを含む。代替としては各機能ブロックの一部又は全ては、ソフトウェアで実現され得る。例えばそのような機能ブロックは、プロセッサ上で実行されるプログラムによって実現され得る。換言すれば、本明細書で説明される各機能ブロックは、ハードウェアで実現されてもよいし、ソフトウェアで実現されてもよいし、ハードウェアとソフトウェアとの任意の組合せで実現され得る。
【００１３】
図１は、本発明の実施形態に係る映像処理装置の構成を示すブロック図である。図１の映像処理装置は、ユーザ入力部１２と、データ制御部１４と、表示部１６と、記憶部１８と、メニューデータ蓄積部２２と、接続解析部２４と、信号入力部２６と、同期信号検出部２８と、機器データ蓄積部３２と、ケーブルデータ蓄積部３４と、バス３６と、ＬＡＮ（local area network）インタフェース４２と、メモリカードリーダ４４と、ハードディスクドライブ（ＨＤＤ）４６とを有している。
【００１４】
図１の映像処理装置は、例えばテレビジョン受像機（以下ではＴＶと表記する）であって、チューナ（図示せず）を有している。チューナは、アンテナで受信された信号から、映像信号を生成して表示部１６に表示させる。また、信号入力部２６に入力された信号が表示部１６に表示されるように構成されている。
【００１５】
ユーザ入力部１２は、例えばリモコンとその受信部や、図１の映像処理装置の表面に配置された入力ボタンであって、表示部１６の表示に従ってユーザが入力操作を行う。ＬＡＮインタフェース４２は、外部のネットワーク（例えばインターネット）に接続されており、メモリカードリーダ４４には、メモリカード４８が着脱可能に接続されている。ＬＡＮインタフェース４２、メモリカードリーダ４４、及びＨＤＤ４６は、バス３６を経由して、機器データ蓄積部３２及びケーブルデータ蓄積部３４との間でデータを入出力する。メモリカード４８及びＨＤＤ４６は、あらかじめ機器データ及びケーブルデータを格納している。
【００１６】
機器データ蓄積部３２及びケーブルデータ蓄積部３４は、必要なデータが格納されていない場合には、ＬＡＮインタフェース４２を経由して、インターネット上の所定のサイトから必要なデータをダウンロードする。また、機器データ蓄積部３２及びケーブルデータ蓄積部３４は、メモリカードリーダ４４を用いてメモリカード４８から必要なデータを読み出してもよいし、ＨＤＤ４６から必要なデータを読み出してもよい。
【００１７】
機器データ蓄積部３２は、ＬＡＮインタフェース４２、メモリカードリーダ４４、及びＨＤＤ４６から転送された機器データを蓄積する。機器データは、周辺機器の接続に関する情報であって、周辺機器の端子の種類を示す端子情報や、端子の画像を含む画像データ、周辺機器の外観を示す画像データ等を含んでいる。
【００１８】
ケーブルデータ蓄積部３４は、ＬＡＮインタフェース４２、メモリカードリーダ４４、及びＨＤＤ４６から転送されたケーブルデータを蓄積する。ケーブルデータは、ケーブルに関する情報であって、ケーブルの端子の種類を示す端子情報、端子の画像を含む画像データ、ケーブルの外観を示す画像データ、ケーブルについての注意事項等を含んでいる。ケーブルについての注意事項とは、例えば、ＨＤＭＩ（high-definition multimedia interface）ケーブルについては、出力解像度を設定する必要があるということや、ＩＥＥＥ１３９４ケーブルについては、アナログ接続ケーブルを併用すべきであるということである。
【００１９】
メニューデータ蓄積部２２は、表示部１６に表示される表示データ（メニュー画面等）を格納する。データ制御部１４は、ユーザによってユーザ入力部１２に入力された情報に従って、機器データ蓄積部３２、ケーブルデータ蓄積部３４、メニューデータ蓄積部２２から該当するデータを読み出す。
【００２０】
図２は、図１の接続解析部２４の構成例を示すブロック図である。図２のように、接続解析部２４は、機器接続判定部５２と、ケーブル選択部５４とを有している。機器接続判定部５２は、データ制御部１４が読み出した機器データ及びユーザ入力部１２に入力された情報に従って、図１の映像処理装置とその周辺機器との間の接続について解析を行い、その結果をケーブル選択部５４及びデータ制御部１４に出力する。
【００２１】
ケーブル選択部５４は、機器接続判定部５２の解析結果、データ制御部１４が読み出したケーブルデータ及びユーザ入力部１２に入力された情報に従って、映像処理装置とその周辺機器との間、及び周辺機器間の接続に用いるケーブルを決定し、その結果をデータ制御部１４に出力する。表示部１６は、接続解析部２４における解析の結果に従って、映像処理装置とその周辺機器との間、及び周辺機器間の接続に用いるケーブルの画像等を表示する。
【００２２】
接続作業時の処理を、表示部１６に表示される画面を参照しながら説明する。図３は、機器接続案内の開始画面の例を示す説明図である。ユーザがユーザ入力部１２に所定の操作をした場合、又は、映像処理装置に最初に電源が入れられた時に、データ制御部１４がメニューデータ蓄積部２２からデータを読み出して、表示部１６に図３の表示を行わせる。
【００２３】
図４は、図１の映像処理装置に接続可能な周辺機器の一覧を表示する画面の例を示す説明図である。図３の画面が表示された後、データ制御部１４は、図４のような画面を表示部１６に表示させる。図４の画面では、映像処理装置（ＴＶ）の画像が画面の中心に表示され、また、その周囲に周辺機器、例えば、アンテナ、ＤＶＤ（digital versatile disc）レコーダ、ホームシアター、デジタルビデオカメラ、カラオケマイク、ノートパソコン、ゲーム機、及びデジタルカメラの画像が表示されている。ユーザは、ユーザ入力部１２を操作して、映像処理装置に接続したい周辺機器を図４の画面上で選択する。
【００２４】
図５は、図４の画面上でいくつかの周辺機器が選択された状態を示す説明図である。ここでは例として、ユーザが、アンテナ、ＤＶＤレコーダ、及びゲーム機を選択したとする。データ制御部１４は、ユーザによって選択された周辺機器を記憶部１８に記憶させる。
【００２５】
次に、データ制御部１４は、選択された周辺機器の機器データを、ユーザ入力部１２に入力された情報に従って機器データ蓄積部３２から読み出し、接続解析部２４の機器接続判定部５２に出力する。機器接続判定部５２は、映像処理装置及び選択された周辺機器の間のどこを接続すべきであるかを、受け取った機器データを用いて決定する。この際、機器接続判定部５２は、機器データに含まれる端子情報を用いて、接続可能であるか、どの機器や装置の間を接続すると画質が高くなるか、又は接続に必要なケーブル数等を考慮する。機器接続判定部５２は、決定の結果をデータ制御部１４及びケーブル選択部５４に出力する。
【００２６】
図６は、映像処理装置と周辺機器との間、及び周辺機器間の接続を表示する画面の例を示す説明図である。図５の画面が表示された後、データ制御部１４は、決定された接続を図６のような画面で表示部１６に表示させる。図６の画面では、信号の流れに沿って、「１）アンテナ→ＤＶＤレコーダ→ＴＶ」が接続され、「２）ゲーム機→ＴＶ」が接続されることが、各機器の画像を用いて示されている。
【００２７】
次に、ケーブルの選択が行われる。図７は、ケーブルの一覧を表示する画面の例を示す説明図である。図６の画面が表示された後、データ制御部１４は、図１の映像処理装置に接続可能なケーブルの画像を、例えば図７のような画面として表示部１６に表示させる。データ制御部１４は、図７の画面のように、例えば６種類のケーブルの画像をケーブルの名称とともに表示させる。図７の画面では、例えば、ＨＤＭＩケーブル、Ｄ端子−Ｄ端子ケーブル、Ｄ端子−コンポーネントケーブル、コンポジットケーブル、ビデオ＋音声ケーブル、及びアンテナケーブルが表示されている。ケーブルの画像には、端子の種類が識別できるような端子の画像を含むようにしておく。
【００２８】
ユーザは、ユーザ入力部１２を操作して、使用可能なケーブルを図７の画面上で選択する。同じ種類のケーブルを２本以上使用可能である場合には、ユーザはその本数を入力する。また、ユーザが、ユーザ入力部１２を操作して画面上の「次へ」を選択すると、データ制御部１４は、他の種類のケーブルの画像をケーブルの名称とともに表示する。
【００２９】
図８は、図７の画面上でいくつかのケーブルが選択された状態を示す説明図である。ここでは例として、ユーザが、ＨＤＭＩケーブル、コンポジットケーブル、ビデオ＋音声ケーブル、及びアンテナケーブルを選択し、選択されたケーブルの本数がいずれも１であるとする。データ制御部１４は、ユーザによって選択されたケーブル及びその本数を記憶部１８に記憶させる。
【００３０】
次に、データ制御部１４は、選択されたケーブルのケーブルデータを、ユーザ入力部１２に入力された情報に従ってケーブルデータ蓄積部３４から読み出し、接続解析部２４のケーブル選択部５４に出力する。ケーブル選択部５４は、接続すべきであると決定された、映像処理装置と周辺機器との間及び周辺機器間を、それぞれどの選択されたケーブルで接続すべきであるかを、受け取った機器データ及びケーブルデータに従って決定する。この際、ケーブル選択部５４は、機器データ及びケーブルデータに含まれる端子情報を用いて、どのケーブルが使用可能であるか、及びどのケーブルを使用すると画質が高くなるか等を考慮して、最も高い画質が得られるように（すなわち、画質を優先させて）決定する。
【００３１】
図９は、映像処理装置、周辺機器、及び接続に用いるケーブルを表示する画面の例を示す説明図である。図８の画面が表示された後、データ制御部１４は、用いられることがケーブル選択部５４によって決定されたケーブルの画像を、映像処理装置（ＴＶ）、及びユーザによって選択された周辺機器の画像とともに図９のような画面で表示部１６に表示させる。
【００３２】
図９では、例として、ＤＶＤレコーダと映像処理装置との間の接続に、ＨＤＭＩケーブルを用いるべきであることを示している。「ＨＤＭＩケーブル」を用いる場合の方が、「コンポジットケーブル」を用いる場合よりも高画質な表示が可能であるので、ケーブル選択部５４は、ここでは画質を優先させてＨＤＭＩケーブルを選択する。また、アンテナとＤＶＤレコーダとの間の接続にはアンテナケーブルを、ゲーム機と映像処理装置との間の接続にはビデオ＋音声ケーブルを用いるべきであることを示している。
【００３３】
メニューデータ蓄積部２２は、ケーブルが不足していることを示すための表示データを格納している。接続に用いられるケーブルを決定する際に、選択されたケーブルだけでは接続ができない場合、すなわち、ケーブルが不足している場合には、ケーブル選択部５４は、不足しているケーブルをデータ制御部１４に通知する。データ制御部１４は、ケーブルが不足していることを通知されると、不足しているケーブルの画像をケーブルデータ蓄積部３４から読み出し、ケーブルが不足していることを示すための表示データをメニューデータ蓄積部２２から読み出して、読み出された画像及び表示データを表示部１６に表示させる。この際、データ制御部１４は、不足しているケーブルの購入を推奨することを示す表示データをメニューデータ蓄積部２２から読み出し、表示部１６に表示させるようにしてもよい。
【００３４】
以下では、ケーブルを用いた接続のための案内画面が表示され、ユーザが案内画面に従って接続作業を行う。まず、アンテナとＤＶＤレコーダとの間の接続を行う。図１０は、アンテナとＤＶＤレコーダとの間の接続のための案内画面を示す説明図である。
【００３５】
データ制御部１４は、アンテナ画像、ＤＶＤレコーダ画像（前面）、及びＤＶＤレコーダ画像（背面）を機器データ蓄積部３２から読み出し、アンテナケーブル画像をケーブルデータ蓄積部３４から読み出し、読み出された画像を図１０のように表示部１６に表示させる。ＤＶＤレコーダ画像（背面）としては、各端子が識別できるような画像が表示される。
【００３６】
また、メニューデータ蓄積部２２は、ケーブルが接続されるべき端子を示すための表示データ（ＯＳＤ（on screen display）データ）を格納している。データ制御部１４は、このようなＯＳＤデータをメニューデータ蓄積部２２から読み出して、ＤＶＤレコーダ画像（背面）上に、選択されたアンテナケーブルが接続されるべき端子を示す表示を重ねて、表示部１６に表示させる。ＯＳＤデータは、赤丸や、端子を囲む図形等を示すデータであって、ケーブルが接続されるべき端子を囲むように表示される。このため、ユーザは、ケーブルをどの端子に差し込めばいいのかを一目で理解することができる。図１０の表示に従って、ユーザは、ＤＶＤレコーダの背面のＯＳＤデータで示された端子にアンテナケーブルを接続する。
【００３７】
次に、ＤＶＤレコーダと映像処理装置との間の接続を行う。図１１は、ＤＶＤレコーダと映像処理装置との間の接続のための案内画面を示す説明図である。
【００３８】
データ制御部１４は、ＤＶＤレコーダ画像（前面）、ＤＶＤレコーダ画像（背面）、ＴＶ画像（前面）、及びＴＶ画像（背面）を機器データ蓄積部３２から読み出し、ＨＤＭＩケーブル画像をケーブルデータ蓄積部３４から読み出し、読み出された画像を図１１のように表示部１６に表示させる。ＤＶＤレコーダ画像（背面）及びＴＶ画像（背面）としては、各端子が識別できるような画像が表示される。
【００３９】
図１１の場合においても、図１０と同様に、データ制御部１４は、ケーブルが接続されるべき端子を示すためのＯＳＤデータをメニューデータ蓄積部２２から読み出して、ＤＶＤレコーダ画像（背面）及びＴＶ画像（背面）の上に、選択されたＨＤＭＩケーブルが接続されるべき端子を示す表示を重ねて、表示部１６に表示させる。図１１の表示に従って、ユーザは、ＤＶＤレコーダの背面のＯＳＤデータで示された端子と、ＴＶの背面のＯＳＤデータで示された端子とにＨＤＭＩケーブルを接続する。
【００４０】
次に、アンテナ、ＤＶＤレコーダ、及び映像処理装置の間の接続が正しく行われていることを確認する。データ制御部１４は、ＤＶＤレコーダの電源を入れるように指示する表示（例えば「ＤＶＤレコーダの電源を入れてください。」という表示）をするためのＯＳＤデータをメニューデータ蓄積部２２から読み出して、表示部１６に表示させる。画面の表示に従って、ユーザは、ＤＶＤレコーダの電源をオンにする。ＤＶＤレコーダから出力された信号は、図１の信号入力部２６を経由して同期信号検出部２８に入力される。同期信号検出部２８は、入力された映像信号に含まれる同期信号を検出し、検出したことをデータ制御部１４に通知する。
【００４１】
図１２は、アンテナ、ＤＶＤレコーダ、及び映像処理装置の間の接続が正常に行われた場合に表示される画面を示す説明図である。同期信号を検出したことが同期信号検出部２８から通知されると、データ制御部１４は、正常に接続されたことを示す表示（例えば「正常に接続されました。」という表示）をするためのＯＳＤデータをメニューデータ蓄積部２２から読み出して、図１２のように表示部１６に表示させる。
【００４２】
なお、ＨＤＭＩケーブルの場合のように、ユーザによって選択されたケーブルについての注意事項がある場合には、データ制御部１４は、この注意事項を表示部１６に表示させるようにしてもよい。
【００４３】
次に、ゲーム機と映像処理装置との間の接続を行う。図１３は、ゲーム機と映像処理装置との間の接続のための案内画面を示す説明図である。
【００４４】
データ制御部１４は、ゲーム機画像（前面）、ゲーム機画像（背面）、ＴＶ画像（前面）、及びＴＶ画像（背面）を機器データ蓄積部３２から読み出し、ビデオ＋音声ケーブル画像をケーブルデータ蓄積部３４から読み出し、読み出された画像を図１３のように表示部１６に表示させる。ゲーム機画像（背面）及びＴＶ画像（背面）としては、各端子が識別できるような画像が表示される。
【００４５】
図１３の場合においても、図１０と同様に、データ制御部１４は、ケーブルが差し込まれるべき端子を示すためのＯＳＤデータをメニューデータ蓄積部２２から読み出して、表示部１６に表示させる。図１３の表示に従って、ユーザは、ゲーム機の背面のＯＳＤデータで示された端子と、ＴＶの背面のＯＳＤデータで示された端子とにビデオ＋音声ケーブルを差し込む。
【００４６】
次に、ゲーム機と映像処理装置との間の接続が正しく行われていることを確認する。データ制御部１４は、ゲーム機の電源を入れるように指示する表示（例えば「ゲーム機の電源を入れてください。」という表示）をするためのＯＳＤデータをメニューデータ蓄積部２２から読み出して、表示部１６に表示させる。画面の表示に従って、ユーザは、ゲーム機の電源をオンにする。ゲーム機から出力された信号は、図１の信号入力部２６を経由して同期信号検出部２８に与えられる。同期信号検出部２８は、映像信号に含まれる同期信号を検出すると、検出したことをデータ制御部１４に通知する。
【００４７】
図１４は、ゲーム機と映像処理装置との間の接続が正常に行われた場合に表示される画面を示す説明図である。同期信号を検出したことが同期信号検出部２８から通知されると、データ制御部１４は、正常に接続されたことを示す表示（例えば「正常に接続されました。」という表示）をするためのＯＳＤデータをメニューデータ蓄積部２２から読み出して、図１４のように表示部１６に表示させる。
【００４８】
以上で接続が完了する。その後、ケーブルが外れてしまった場合には、同様の表示が行われ、表示に従ってユーザが接続作業を行う必要がある。このとき、データ制御部１４は、記憶部１８に記憶された、選択された周辺機器、ケーブル及びその本数のデータを用いて、ユーザによって選択された周辺機器及びユーザによって選択されたケーブルを決定する。これにより、ユーザが周辺機器、ケーブル及びその本数を再び入力する必要なく接続作業をすすめることができる。
【００４９】
図１の映像処理装置がＬＡＮインタフェース４２、メモリカードリーダ４４、及びＨＤＤ４６を有する場合について説明したが、映像処理装置は、ＬＡＮインタフェース４２、メモリカードリーダ４４、及びＨＤＤ４６のうちの少なくとも１つを有していればよい。
【００５０】
本発明の多くの特徴及び優位性は、記載された説明から明らかであり、よって添付の特許請求の範囲によって、本発明のそのような特徴及び優位性の全てをカバーすることが意図される。更に、多くの変更及び改変が当業者には容易に可能であるので、本発明は、図示され記載されたものと全く同じ構成及び動作に限定されるべきではない。したがって、全ての適切な改変物及び等価物は本発明の範囲に入るものとされる。
【産業上の利用可能性】
【００５１】
以上説明したように、本発明の実施形態によると、映像処理装置とその周辺機器との間の接続が容易になるので、本発明は、映像処理装置等について有用である。
【符号の説明】
【００５２】
１４  データ制御部
１６  表示部
１８  記憶部
２２  メニューデータ蓄積部
２４  接続解析部
２８  同期信号検出部
３２  機器データ蓄積部
３４  ケーブルデータ蓄積部
【手続補正２】
【補正対象書類名】特許請求の範囲
【補正対象項目名】全文
【補正方法】変更
【補正の内容】
【特許請求の範囲】
【請求項１】
周辺機器の接続に関する情報である機器データを格納する機器データ蓄積部と、
ケーブルに関する情報であるケーブルデータを格納するケーブルデータ蓄積部と、
選択された周辺機器の機器データを前記機器データ蓄積部から、選択されたケーブルのケーブルデータを前記ケーブルデータ蓄積部から読み出すデータ制御部と、
前記機器データ蓄積部から読み出された機器データ及び前記ケーブルデータ蓄積部から読み出されたケーブルデータに従って、前記映像処理装置と前記選択された周辺機器との間の接続に用いられるケーブルを決定する接続解析部と、
前記接続解析部で決定されたケーブルの画像を前記選択された周辺機器の画像とともに表示する表示部とを備える
映像処理装置。
【請求項２】
請求項１に記載の映像処理装置において、
前記データ制御部は、前記映像処理装置に接続可能なケーブルの画像を前記表示部に表示させ、
前記選択されたケーブルは、前記表示部に表示され、選択されたケーブルである
映像処理装置。
【請求項３】
請求項１に記載の映像処理装置において、
前記接続解析部は、前記接続に用いられるケーブルの決定を、画質を優先させて、前記読み出されたケーブルデータに従って行う
映像処理装置。
【請求項４】
請求項１に記載の映像処理装置において、
ケーブルが不足していることを示すための表示データを格納するメニューデータ蓄積部を更に備え、
前記接続解析部は、前記接続に用いられるケーブルを決定する際に、ケーブルが不足している場合には、ケーブルが不足していることを前記データ制御部に通知し、
前記データ制御部は、ケーブルが不足していることを通知されると、前記表示データを前記メニューデータ蓄積部から読み出して前記表示部に表示させる
映像処理装置。
【請求項５】
請求項１に記載の映像処理装置において、
ケーブルが接続されるべき端子を示すための表示データを格納するメニューデータ蓄積部を更に備え、
前記データ制御部は、前記表示データを前記メニューデータ蓄積部から読み出し、前記映像処理装置又は前記選択された周辺機器の画像上に、前記選択されたケーブルが接続されるべき端子を示す表示を重ねて、前記表示部に表示させる
映像処理装置。
【請求項６】
請求項１に記載の映像処理装置において、
前記データ制御部は、前記選択されたケーブルについての注意事項を前記表示部に表示させる
映像処理装置。
【請求項７】
請求項１に記載の映像処理装置において、
入力信号に含まれる同期信号を検出する同期信号検出部を更に備え、
前記データ制御部は、前記同期信号検出部が同期信号を検出すると、正常に接続されたことを示す表示を前記表示部に表示させる
映像処理装置。
【請求項８】
請求項１に記載の映像処理装置において、
前記選択された周辺機器及び前記選択されたケーブルを記憶する記憶部を更に備え、
前記データ制御部は、前記記憶部に記憶されたデータを用いて、前記選択された周辺機器及び前記選択されたケーブルを決定する
映像処理装置。
【手続補正３】
【補正対象書類名】図面
【補正対象項目名】全図
【補正方法】変更
【補正の内容】
【図１】
2010016251.tif 000017
【図２】
2010016251.tif 000018
【図３】
2010016251.tif 000019
【図４】
2010016251.tif 000020
【図５】
2010016251.tif 000021
【図６】
2010016251.tif 000022
【図７】
2010016251.tif 000023
【図８】
2010016251.tif 000024
【図９】
2010016251.tif 000025
【図１０】
2010016251.tif 000026
【図１１】
2010016251.tif 000027
【図１２】
2010016251.tif 000028
【図１３】
2010016251.tif 000029
【図１４】
2010016251.tif 000030
【国際調査報告】
2010016251.tif 000031
2010016251.tif 000032
2010016251.tif 000033
2010016251.tif 000034